(57)【要約】  無線ネットワーク（例えばＵＭＴＳ）の無線アクセスネットワーク（例えばＵＴＲＡＮ）が、ユーザ機器無線通信装置（例えば移動局）がＨＳＵＰＡのためのものである、例えばＨＡＲＱ処理で使用されるバッファである１つまたは複数のバッファをフラッシュすべきであるという指示をユーザ機器に送信するための方法および機器。１つまたは複数の送信バッファをフラッシュすべきであることを指示するフラグがメッセージ中に含まれる。メッセージは例えば再設定を実行すべきであることを指示するメッセージであり、フラグは（設定されている場合）ユーザ機器によって、再設定を実行する前に１つまたは複数の送信バッファをフラッシュすべきであることを指示するものとして解釈される。ユーザ機器無線通信装置のための対応する方法および機器も提供される。
2009514474.tif 000002
【特許請求の範囲】
【請求項１】
ユーザ機器装置が、無線アクセスネットワークからのメッセージを解析して、前記メッセージ中に含まれるフラグが、前記ユーザ機器装置が前記無線アクセスネットワークにパケットを送信するための前記パケットを保持する前記ユーザ機器装置の１つまたは複数の送信バッファをフラッシュすべきであることを指示するように設定されているか否かを決定するステップと、
前記フラグが設定されている場合、前記ユーザ機器装置が、前記１つまたは複数の送信バッファをフラッシュするステップと、を備える方法。
【請求項２】
前記送信バッファが、高速アップリンクパケットアクセスのために使用されるバッファである、請求項１に記載の方法。
【請求項３】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項１に記載の方法。
【請求項４】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項３に記載の方法。
【請求項５】
コンピュータプロセッサによって実行するためのコンピュータプログラムコードを具現するコンピュータ可読記憶構造を備えるコンピュータプログラム製品であって、前記コンピュータプログラムコードが請求項１に記載の方法を実行するための命令を備えるコンピュータプログラム製品。
【請求項６】
請求項１に記載の動作のために構成された特定用途向け集積回路。
【請求項７】
無線アクセスネットワーク要素が、ユーザ機器装置が前記無線アクセスネットワーク要素に供給するためのパケットを保持する１つまたは複数の送信バッファをフラッシュすべきであることを決定するステップと、
前記無線アクセスネットワーク要素が、前記ユーザ機器装置に送信するためのメッセージを提供し、前記ユーザ機器装置が前記１つまたは複数の送信バッファをフラッシュすべきであることを指示するように設定されたフラグを前記メッセージ中に含めるステップと、を備える方法。
【請求項８】
前記送信バッファが、高速アップリンクパケットアクセスのために使用されるバッファである、請求項７に記載の方法。
【請求項９】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項７に記載の方法。
【請求項１０】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項９に記載の方法。
【請求項１１】
コンピュータプロセッサによって実行するためのコンピュータプログラムコードを具現するコンピュータ可読記憶構造を備えるコンピュータプログラム製品であって、前記コンピュータプログラムコードが請求項７に記載の方法を実行するための命令を備えるコンピュータプログラム製品。
【請求項１２】
請求項７に記載の動作のために構成された特定用途向け集積回路。
【請求項１３】
ユーザ機器無線通信装置のメディアアクセス制御層のパージングコンポーネントであって、無線アクセスネットワークからのメッセージを解析して、前記メッセージ中に含まれるフラグが、前記ユーザ機器装置が前記無線アクセスネットワークにパケットを送信するための前記パケットを保持する前記ユーザ機器装置の１つまたは複数の送信バッファをフラッシュすべきであることを指示するように設定されているか否かを決定するように構成された、パージングコンポーネントと、
前記フラグが設定されている場合、前記１つまたは複数の送信バッファをフラッシュするように構成された、前記メディアアクセス制御層のバッファリセットコンポーネントと、を備える装置。
【請求項１４】
前記送信バッファが、高速アップリンクパケットアクセスのために使用されるバッファである、請求項１３に記載の装置。
【請求項１５】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項１３に記載の装置。
【請求項１６】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項１５に記載の装置。
【請求項１７】
無線アクセスネットワークからのメッセージを解析して、前記メッセージ中に含まれるフラグが、前記ユーザ機器装置が前記無線アクセスネットワークにパケットを送信するための前記パケットを保持する前記ユーザ機器装置の１つまたは複数の送信バッファをフラッシュすべきであることを指示するように設定されているか否かを決定するための手段と、
前記フラグが設定されている場合、前記１つまたは複数の送信バッファをフラッシュするための手段と、を備える装置。
【請求項１８】
前記送信バッファが、高速アップリンクパケットアクセスのために使用されるバッファである、請求項１７に記載の装置。
【請求項１９】
請求項１７に記載の装置と、
無線通信を介して前記メッセージを受信し、前記メッセージをパージングコンポーネントに提供するための受信機と、
１つまたは複数のバッファを保持するための１つまたは複数のメモリ記憶装置と、
前記無線アクセスネットワークに前記メッセージに対する応答を無線送信するための送信機と、を備えるユーザ機器無線通信装置。
【請求項２０】
無線アクセスネットワークのプロトコルスタックの上位層から、前記無線アクセスネットワークと通信するユーザ機器装置が前記無線アクセスネットワーク要素に供給するためのパケットを保持する１つまたは複数の送信バッファをフラッシュすべきであるという指示を受信し、それに応答して、前記ユーザ機器装置に送信するためのメッセージを準備し、前記ユーザ機器装置が前記１つまたは複数の送信バッファをフラッシュすべきであることを指示するように設定されたフラグを前記メッセージ中に含める、前記無線アクセスネットワークのメディアアクセス制御層のメッセージ準備コンポーネントと、
前記メッセージに応答して、前記ユーザ機器装置に供給するための前記メッセージを提供する、前記メディアアクセス制御層のメッセージ供給コンポーネントと、を備える装置。
【請求項２１】
前記送信バッファが、高速アップリンクパケットアクセスのために使用されるバッファである、請求項２０に記載の装置。
【請求項２２】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項２０に記載の装置。
【請求項２３】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項２２に記載の装置。
【請求項２４】
請求項２０に記載の装置を備える無線アクセスネットワークの無線ネットワークコントローラであって、
前記無線ネットワークコントローラが、前記無線アクセスネットワークの無線通信端末に、前記ユーザ機器装置に供給するための前記メッセージを送信するように構成された無線ネットワークコントローラ。
【請求項２５】
請求項２０に記載の装置を備える無線アクセスネットワークの無線通信端末であって、
前記無線通信端末が前記メッセージを前記ユーザ機器装置に送信するように構成された無線通信端末。
【請求項２６】
無線アクセスネットワークのプロトコルスタックの上位層から、前記無線アクセスネットワークと通信するユーザ機器装置が前記無線アクセスネットワーク要素に供給するためのパケットを保持する１つまたは複数の送信バッファをフラッシュすべきであるという指示を受信し、それに応答して、前記ユーザ機器装置に送信するためのメッセージを準備し、前記ユーザ機器装置が前記１つまたは複数の送信バッファをフラッシュすべきであることを指示するように設定されたフラグを前記メッセージ中に含めるための手段と、
前記メッセージに応答して、前記ユーザ機器装置に供給するための前記メッセージを提供するための手段と、を備える装置。
【請求項２７】
前記送信バッファが、高速アップリンクパケットアクセスのために使用されるバッファである、請求項２６に記載の装置。
【発明の詳細な説明】
【技術分野】
【０００１】
本発明は、特に３ＧＰＰ仕様書に係る通信ネットワークを介した無線通信の分野に関する。詳しく言うと、本発明は、高速アップリンクパケットアクセス（ＨＳＵＰＡ）に準拠したユーザ機器装置による無線アクセスネットワークへのパケットのアップリンクに関連して実行される処理、およびさらに詳しく言うと、ユーザ機器装置によるハイブリッド自動再送要求（ＨＡＲＱ）フラッシュに関する。
【背景技術】
【０００２】
本発明は、ユーザ機器（ＵＥ）装置、すなわち、ＵＭＴＳ（ユニバーサル移動通信システム）の無線アクセスネットワーク、すなわち、いわゆるＵＭＴＳ地上無線アクセスネットワーク（ＵＴＲＡＮ）によって使用されるいわゆる高速アップリンクパケットアクセス（ＨＳＵＰＡ）に関連するＨＡＲＱ処理のために、ユーザが使用する無線端末、が使用するバッファのフラッシュに関する。ＵＥ装置は、ＵＴＲＡＮと通信するためのいわゆる移動端末コンポーネントを含む（ＵＥ装置はいわゆる移動局または携帯電話でもよいが、例えば移動端末コンポーネントを含むコンピュータでもよい）。
【０００３】
３ＧＰＰ（第３世代パートナーシッププログラム、無線通信企業のコンソーシアム）によれば、任意のＵＴＲＡＮは通常、各々、基地局としても知られるいくつかのいわゆるノードＢを制御するいくつかの無線ネットワークコントローラ（ＲＮＣ）を含む。移動電話のようなＵＥ装置は、ＵＥ装置にサービスを提供するノードＢ（別名サービングノードＢ）によってＵＥ装置に送信される最大許容レートまたは電力まで、ただしそれを越えずに、アップリンクすることを許可される。ＵＥは、パケットが成功裏にノードＢに送信されるまでアップリンク用のデータ（パケット）を送信バッファに保持する。したがって、こうした送信バッファはノードＢにおけるＨＡＲＱ処理に関連して使用されるが、この処理においてノードＢは、各々誤って受信された可能性のある同じパケットの２つ以上のコピーを結合して、実際に送信されたパケットを正しく決定する。パケットがノードＢによって成功裏に受信される、すなわち、ノードＢが、場合によってはコピーを結合することによって、送信されたパケットを正しく決定した場合、ＵＥはその送信バッファからパケットを除去する。
【０００４】
ＨＳＵＰＡの場合、ＵＴＲＡＮ（および、特に、例えばサービングＲＮＣ、または場合によってはＵＥと通信するノードＢ）は時折、たとえ一部のパケットが成功裏に受信されたと表示されていなくても、ＵＥ送信バッファをフラッシュする（すなわち、全てのパケットを除去する）という決定を行うことがある（普通、ＵＥは所定の期間内に再送要求を受信しないという理由でパケットが成功裏に受信されたと決定する）。
【０００５】
こうしたＨＳＵＰＡ  ＨＡＲＱ処理のフラッシュは、再設定を実行する場合、再設定処理全体の一部として要求される。再設定手順は、通信リンクのいくつかの異なるアスペクトの再設定を含むことがある。例えば、再設定手順は、データ記述指示子（ＤＤＩ）を含むことがある。ＤＤＩは、ＭＡＣ−ｅｓ  ＰＤＵ（プロトコルデータユニット）に連結された、論理チャネル、ＭＡＣ−ｄ（メディアアクセス制御−ｄ）フローおよび、ＭＡＣ−ｄ  ＰＤＵのサイズを識別するために使用されるＭＡＣ−ｅヘッダフィールドである。例えば、「ＤＤＩの仕様に関する第３世代パートナーシッププログラム（３ＧＰＰ）技術仕様書（ＴＳ）２５．３２１」を参照されたい。
【０００６】
ＤＤＩ再設定によってＭＡＣ−ｄフローがリマップされる。すなわち、物理チャネルへのデータのマップを再編成する。送信バッファは物理層によって維持される。すなわち、送信バッファ中のパケットはすでに物理層に渡されている。ＨＡＲＱ処理のフラッシュの前にＤＤＩ再設定を含む再設定が実行され、ＵＥ装置の送信バッファ中にまだパケットがある場合、リマップがそうしたパケットの送信を妨害することがある。他方、再設定がＭＡＣ−ｄフロー等のリマップを伴わない場合には、再送信を保持する、すなわち、ＨＡＲＱ処理のフラッシュを実行しない方が有利なことがある。
【０００７】
ＵＴＲＡＮがＵＥに、ＨＳＵＰＡ  ＨＡＲＱ処理のフラッシュを実行するように信号を送ることのできる方法は現在存在しない。
【発明の開示】
【発明が解決しようとする課題】
【０００８】
したがって、ＵＴＲＡＮがＵＥに、その送信バッファをフラッシュすべき時、すなわち、ＨＳＵＰＡ  ＨＡＲＱ処理のフラッシュを実行すべき時を指示する方法が必要である。
【課題を解決するための手段】
【０００９】
本発明の第１の態様では、ＵＥ装置が、ＵＴＲＡＮのような無線アクセスネットワークからのメッセージを解析して、パケットを無線アクセスネットワークに送信するためのパケットを保持するＵＥ装置の１つまたは複数の送信バッファをユーザ機器装置がフラッシュすべきであることを指示するメッセージ中に含まれるフラグが設定されているか否かを決定するステップと、フラグが設定されている場合、ＵＥ装置が１つまたは複数の送信バッファをフラッシュするステップとを備える方法が提供される。
【００１０】
本発明の少なくともいくつかの実施形態に対応および準拠して、ＵＥ装置は、再設定を要求するメッセージ中のフラグを含む、ノードＢによる再設定の前の、ＨＳＵＰＡ  ＨＡＲＱ処理のフラッシュを実行するように、ＵＴＲＡＮのノードＢによって指示される。このフラグは、ＵＥが再設定の前にＨＳＵＰＡ  ＨＡＲＱ処理のフラッシュを実行すべきか否かをＵＥに指示する。すなわち、ＵＴＲＡＮ（ノードＢまたは、ノードＢに対するＲＮＣといったより上位の監視要素の何れか）は、実際には、ＨＡＲＱのフラッシュが必要であるとＵＴＲＡＮがみなした時はいつでもＵＥのＨＡＲＱ処理をフラッシュする。
【００１１】
すなわち、本発明は、ＵＴＲＡＮのＵＥとノードＢとがＨＡＲＱのフラッシュに関してインタフェースを有する方法、すなわち詳しく言うと、ＨＡＲＱ処理のフラッシュを実行すべきであることをＵＥに指示するフラグを含む再設定メッセージをノードＢがＵＥに送信し、ＵＥが再設定メッセージを受信し、それを解析してフラグを発見し、フラグの設定に応じてＨＡＲＱ処理のフラッシュを実行するかまたはしない方法を提供する（フラグを含むメッセージは通常サービングＲＮＣが準備するが、ＲＮＣの１つまたは複数のノードＢの何れかが準備してもよい）。
【００１２】
また、本発明は、該方法にしたがって動作するＵＥ装置と、該方法にしたがって動作するＵＴＲＡＮ要素（例えばノードＢまたはＲＮＣ）と、共に該方法にしたがって動作するＵＥ装置およびＵＴＲＡＮ要素を含むシステムと、を提供する。
【００１３】
また、それによってＵＥが本方法に従って動作するコンピュータプログラム製品と、それによってＵＴＲＡＮ要素が本方法にしたがって動作するコンピュータプログラムと、が提供される。また、本発明は、該コンピュータプログラム製品に対応するＡＳＩＣ（特定用途向け集積回路）を提供する。
【００１４】
本発明の上記および他の目的、特徴および利点は、添付の図面に関連して提示される以下の詳細な説明を検討することから明らかになるだろう。
【発明を実施するための最良の形態】
【００１５】
ここで、図１〜図３を参照すると、再設定手続きの実行を要求し、再設定を実行する前に無線ネットワークに送信するパケットを保持する送信バッファ１０ａをＵＥがフラッシュすべきであることをＵＥ装置に指示するメッセージをＵＥ装置１０に提供する無線アクセスネットワーク（ＲＡＮ）１３（例えばＵＴＲＡＮ）または他の無線ネットワーク（例えばＵＭＴＳ）１５のコンポーネントが示される。再設定メッセージ中に、送信バッファをフラッシュすべきであることを意味する所定の値に設定したフラグを含めることによってバッファのフラッシュを伝達する。このフラグを設定すると、単一の所定の送信バッファまたはいくつかの所定の送信バッファをフラッシュすべきであることを意味することができる。
【００１６】
ＵＥ装置１０は、例えば、移動電話または、移動式またはそれ以外の他の無線端末であり、（無線アクセスネットワークを介して）無線ネットワークに通信可能に結合される。再設定は、例えば、ＤＤＩ再設定であるか、あるいはＭＡＣフローをリマップするＤＤＩ再設定または別の再設定を伴う。送信バッファは、例えば、ＨＡＲＱ処理バッファであり、無線ネットワークがパケットを成功裏に受信できなかった場合に行われ得る無線ネットワークへの再送信のためにパケットを保持することができる。また、送信バッファは未送信のパケットを保持することもある（パケットはバッファ中に置かれ、その直後に送信されるので、バッファ中に置かれるのとほとんど同時に送信済みパケットになる）。
【００１７】
無線ネットワーク１５は、ＲＡＮ１３に通信可能に結合されたコアネットワーク１４を含む。ＲＡＮは、各々１つまたは複数のノードＢ１１を制御する１つまたは複数の無線ネットワークコントローラ（ＲＮＣ）１２を含む。したがって、ノードＢ１１は無線端末であるが、もちろんユーザ機器として機能する無線端末とは大きく異なっている。
【００１８】
ＤＤＩ再設定メッセージは、本発明に係るフラグを伝える、すなわち、このメッセージが指示した再設定を実行する前に送信バッファをフラッシュすべきであることを指示する再設定メッセージの特定の例である（実行すべき個々の再設定を指示する方法は本発明の範囲外である）。
【００１９】
バッファは、例えば、ＨＳＵＰＡのためのＨＡＲＱ処理で使用されるバッファ、すなわち、ＵＥが通信可能に結合された１つまたは複数のノードＢに対してなされ得る再送信のためのパケットを保持するために使用されるバッファである。
【００２０】
無線ネットワーク１５が、再設定を実行し、それを行う前に送信バッファ１０ａをフラッシュするように指示する信号をＵＥ１０に送ることを決定すると、ステップ２１（図２）で、ＵＥ１０が通信可能に結合されたノードＢ１１の少なくとも１つは（ＵＴＲＡＮでは、例えばソフトハンドオーバの間、ＵＥは１つより多いノードＢと同時通信可能である）、（フラグ／ビットが設定されているため）バッファのフラッシュを実行すべきであることを指示するフラグを含む適当な再設定メッセージを送信する。次のステップ２２では、ＵＥはメッセージを解析して、フラグが設定されているか（すなわち、設定されていない場合と反対に、フラグが設定されていることを示す所定の値を有するか）否かを決定する。通常、フラグはメッセージ中の所定の位置の１ビットであって、それが１の値を有するならば、ＵＥは、バッファのフラッシュを実行すべきであると指示するように設定されていると解釈する。次のステップ２３では、フラグが設定されていた場合ＵＥは送信バッファをフラッシュする。図３に例示するように、再設定メッセージは、３ＧＰＰの技術仕様書に記載のＲＲＣ（無線リソースコントロール）再設定メッセージでもよい。次のステップ２４では、再設定が実行される。次のステップ２５では、ＵＥは再設定メッセージに対する応答を送信して、バッファのフラッシュを含めて再設定が実行されたことを確認する。
【００２１】
本発明の１つの実施形態では、送信バッファ（単数または複数）をリセットするフラグを含むメッセージは、いわゆるＥ−ＤＣＨ（拡張専用チャネル）情報要素（ＩＥ）を含み、さらに本発明によれば、設定されると送信バッファをフラッシュすべきであることを指示するフラグをも含む。設定された場合、フラグはＭＡＣ−ｅｓ／ｅリセットインジケータと呼ばれることもあるが、それは、ＭＡＣ−ｅｓ／ｅエンティティのリセットはＨＡＲＱ処理が使用する送信バッファのフラッシュに帰結するからである。すなわち、ＭＡＣ−ｅｓ／ｅリセットインジケータは本発明が使用する（設定された）フラグであって、フラグが設定された場合は、ＭＡＣ−ｅｓ／ｅリセットインジケータであり、設定されない場合は（やはりメッセージ中に含まれているが）、ＭＡＣ−ｅｓ／ｅリセットインジケータではない。ＭＡＣ−ｅｓ／ｅエンティティは、プロトコルスタックのＭＡＣ層、すなわち、通信においてどのメディア（物理チャネル）を使用すべきかを制御する層によって形成される。ＭＡＣ層の上の層は通常、ＭＡＣ−ｅｓ／ｅリセットを実行すべきか否かを決定する。
【００２２】
図４Ａは、図１のＵＥ端末１０またはＲＡＮ無線端末／ノードＢ１１の何れかであり得る通信端末４０のいくつかのコンポーネントを示す。通信端末は、全ての入出力を含む、装置の動作を制御するプロセッサ４２を含む。プロセッサは、速度／タイミングがクロック４２ａによって調整されており、ＢＩＯＳ（基本入出力システム）を含んでもよく、またユーザのオーディオおよびビデオ入出力ならびにキーボードからのユーザ入力を制御する装置ハンドラを含んでもよい。また、ＢＩＯＳ／装置ハンドラは、ネットワークインタフェースカードからの入力およびそれへの出力を可能にしてもよい。また、ＢＩＯＳおよび／または装置ハンドラは、恐らく１つまたは複数のデジタル信号プロセッサ（ＤＳＰ）、特定用途向け集積回路（ＡＳＩＣ）、および／またはフィールドプログラマブルゲートアレイ（ＦＰＧＡ）を含むＴＲＸインタフェース４５を介した送受信機（ＴＲＸ）４６への入出力の制御をも提供する。ＴＲＸは、別の同様に装備された通信端末との電波による通信を可能にする。
【００２３】
図１のＲＮＣ１２は通常図４Ａに示すものと同じコンポーネントを含むが、ＲＮＣは普通有線通信を使用してノードＢと通信するので、普通ＴＲＸ４５およびそのインタフェース４５は含まない。
【００２４】
さらに図４Ａを参照すると、通信端末は揮発性メモリ、すなわち、（プログラムおよびプログラムが使用するデータがプログラムの実行中に置かれる）いわゆる実行可能メモリ４３を含み、かつ、不揮発性メモリ４４、すなわちストレージメモリをも含む。プロセッサ４２は、不揮発性メモリに格納したアプリケーション（例えば、カレンダーアプリケーションまたはゲーム）を実行するため実行可能メモリにコピーしてもよい。プロセッサはオペレーティングシステムにしたがって機能し、そのために、プロセッサはオペレーティングシステムの少なくとも一部分をストレージメモリから実行可能メモリにコピーして、オペレーティングシステムの対応する部分を起動してもよい。オペレーティングシステムの他の部分、および特に多くの場合ＢＩＯＳの少なくとも一部分は通信端末中にファームウェアとして存在してもよく、その場合実行するために実行可能メモリにコピーされることはない。起動命令はオペレーティングシステムのそのような部分である。
【００２５】
ここで図５を参照すると、図１の無線通信システム（ネットワーク１５およびユーザ機器１０）が、通信を実行する基準となるプロトコルの層の観点から示されている。プロトコルの層はプロトコルスタックを形成し、ＵＥ１０およびＣＮ１４に配置されるＣＮプロトコル層５２と、ＵＥ端末１０およびＲＡＮ１３（ＲＡＮ無線端末（ノードＢ）またはＲＡＮコントローラ（ＲＮＣ）１２の何れか）に配置される無線プロトコル層５１ａとを含む。通信はピアツーピアである。すなわち、ＵＥ中のＣＮプロトコル層はＣＮ中の対応する層と通信し、およびその逆も行われ、通信は下位／中間層を介して提供される。すなわち、下位／中間層は、サービスとして、プロトコルスタック中のすぐ上の層に、通信の単位（制御信号またはユーザデータ）のパッケージングまたはアンパッケージングを提供する。
【００２６】
ＣＮプロトコルは通常、１つまたは複数の制御プロトコル層および／またはユーザデータプロトコル層（例えば、アプリケーション層、すなわち、カレンダーアプリケーションまたはゲームアプリケーションといったアプリケーションと直接インタフェースを有するプロトコルスタックの層）を含む。
【００２７】
無線プロトコルは通常、ごく少数の他のもののうち、無線ベアラの確立、再設定、および解放を担当する無線リソース制御（プロトコル）層を有する。別の無線プロトコル層は無線リンク制御／メディアアクセス制御層である（これらは２つの別個の層として存在してもよい）。この層は実際には、物理層、すなわち別の無線アクセスプロトコル層であって、電波インタフェース上の実際の通信を可能にする層とのインタフェースを提供する。
【００２８】
無線プロトコルはＵＥ端末中およびＲＡＮ中に配置されるが、ＣＮ中には配置されない。ＣＮ中のＣＮプロトコルとの通信は、無線／ＣＮプロトコルスタックとして示される、ＲＡＮ中の別のプロトコルスタックによって可能になる。無線／ＣＮプロトコルスタック中の層とＲＡＮ中の無線プロトコルスタックとの間の通信は、中間下位層を介してではなく、直接行ってもよい。図５に示すように、ＣＮ中に配置された対応する無線／ＣＮプロトコルスタックが存在し、ＵＥ端末中のアプリケーションレベルとＣＮ中のアプリケーションレベルとの間の通信を可能にしている。
【００２９】
ここで図４Ｂを参照すると、ユーザ機器に関連する本発明の通常の実施形態では、ユーザ機器無線通信装置１０（図１）のメディアアクセス制御層の要素／機能は、（１つまたは複数の送信バッファ１０ａのフラッシュを指示するために設定してもよく設定しなくてもよい）フラグを含む、無線アクセスネットワークからのメッセージを解析するパージングコンポーネント１０ｂを含む。パージングコンポーネントはメッセージを解析して、フラグが設定されているか否かを決定する。設定されている場合、メディアアクセス制御層のバッファリセットコンポーネント１０ｃは１つまたは複数の送信バッファをフラッシュする。パージングコンポーネントおよびバッファリセットコンポーネントは、ハードウェア（例えば、ＡＳＩＣ）またはソフトウェアにおいて実現してもよく、１つまたは複数のモジュール、またはその一部、として提供してもよい。
【００３０】
ここで図４Ｃを参照すると、無線アクセスネットワークの機器に関連する本発明の通常の実施形態では、ＲＮＣ１２またはノード１１の何れか（実装に応じて、ただし普通はＲＮＣ）のメディアアクセス制御層の要素／機能は、無線アクセスネットワークのプロトコルスタックの上位層から、無線アクセスネットワーク要素に供給するためのパケットを保持する１つまたは複数の送信バッファをＵＥ装置１０がフラッシュすべきであるという指示を受信するための、メッセージ準備コンポーネント１２ａを含む。この指示に応答して、メッセージ準備コンポーネント１２ａは、ユーザ機器装置が１つまたは複数の送信バッファをフラッシュすべきであると指示するように設定したフラグを含む、ユーザ機器装置に送信するためのメッセージを準備する。また、メディアアクセス制御層は通常、メッセージに応答して、ユーザ機器装置に供給するためのメッセージを提供する、メディアアクセス制御層のメッセージ供給コンポーネント１２ｂを含む。これら２つのコンポーネントは通常ＲＮＣ１２中に配置されるが、ノードＢ１１中に配置してもよい。リセット／バッファフラッシュの実行を決定する上位層はＲＮＣ中に配置されている。メッセージ準備および供給コンポーネントがＲＮＣ中に配置されている場合、ＲＮＣが提供するメッセージはノードＢに送信され、そこからユーザ機器装置１０に送信される。
【００３１】
（無線アクセスネットワークおよびＵＥの両方について）上記で説明した機能は、不揮発性メモリ中に格納されるソフトウェアとして実現し、ソフトウェアの全てまたは一部を実行可能ＲＡＭ（ランダムアクセスメモリ）にコピーした後で、必要に応じてプロセッサにより実行してよい。代替的には、こうしたソフトウェアが提供する論理は、ＡＳＩＣ（特定用途向け集積回路）によって提供してもよい。ソフトウェアによる実現の場合、本発明は、コンピュータプロセッサが実行するために、コンピュータプログラムコード、すなわちソフトウェア、を具体化するコンピュータ可読記憶構造を含むコンピュータプログラム製品として提供される。
【００３２】
上記で説明した配置は本発明の原理の適用業務を例示するのみであることが理解されるだろう。当業者は、本発明の範囲から離れることなく、非常に多くの修正および代替配置を考案しうるのであって、添付の請求項はこうした修正および配置を範囲に含むことが意図される。
【図面の簡単な説明】
【００３３】
【図１】本発明に係る、無線ネットワークコントローラ（ＲＮＣ）およびノードＢを含むＲＡＮから、ＵＥがＨＡＲＱ処理のフラッシュを実行すべきであることを指示するメッセージを受信するＵＥの構成図／フロー図である。
【図２】本発明に係る方法のフローチャートである。
【図３】本発明に係る、図１のＵＥおよびＲＡＮの間で通信される信号を示すデータ図である。
【図４Ａ】図１のＲＡＮのＵＥ端末または無線端末（ノードＢ）の簡略化（本発明に関連する部分のみを図示）した構成図である。
【図４Ｂ】本発明に関連する図１のＵＥ端末のコンポーネントの構成図である。
【図４Ｃ】図１のＲＡＮのコンポーネント（ＲＮＣまたはノードＢの何れかに配置され得るコンポーネント）の構成図である。
【図５】多層通信プロトコルスタックに関する図１の２つの通信端末の簡略化した構成図である。
【図１】
2009514474.tif 000003
【図２】
2009514474.tif 000004
【図３】
2009514474.tif 000005
【図４Ａ】
2009514474.tif 000006
【図４Ｂ】
2009514474.tif 000007
【図４Ｃ】
2009514474.tif 000008
【図５】
2009514474.tif 000009
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
ユーザ機器装置が、メッセージを解析して、前記メッセージ中に含まれるフラグが、前記ユーザ機器装置が前記ユーザ機器装置の１つまたは複数の送信バッファをフラッシュすべきであることを指示するように設定されているか否かを決定するステップと、
前記フラグが設定されている場合、前記ユーザ機器装置が、前記１つまたは複数の送信バッファをフラッシュするステップと、を備える方法。
【請求項２】
前記送信バッファが、高速アップリンクパケットアクセスのために使用されるバッファである、請求項１に記載の方法。
【請求項３】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項１に記載の方法。
【請求項４】
前記メッセージがＥ−ＤＣＨ情報要素を含み、前記フラグが、ＭＡＣ−ｅｓ／ｅリセットが実行されるべきであることを指示するために使用される、請求項３に記載の方法。
【請求項５】
コンピュータプロセッサによって実行するためのコンピュータプログラムコードを具現するコンピュータ可読記憶構造を備えるコンピュータプログラム製品であって、前記コンピュータプログラムコードが請求項１に記載の方法を実行するための命令を備えるコンピュータプログラム製品。
【請求項６】
請求項１に記載の動作のために構成された特定用途向け集積回路。
【請求項７】
ユーザ機器装置が無線アクセスネットワーク要素に供給するためのパケットを保持する１つまたは複数の送信バッファをフラッシュすべきであることを決定するステップと、
前記ユーザ機器装置に送信するためのメッセージを提供し、前記ユーザ機器装置が前記１つまたは複数の送信バッファをフラッシュすべきであることを指示するように設定されたフラグを前記メッセージ中に含めるステップと、を備える方法。
【請求項８】
前記送信バッファが、高速アップリンクパケットアクセスのために使用されるバッファである、請求項７に記載の方法。
【請求項９】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項７に記載の方法。
【請求項１０】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項９に記載の方法。
【請求項１１】
コンピュータプロセッサによって実行するためのコンピュータプログラムコードを具現するコンピュータ可読記憶構造を備えるコンピュータプログラム製品であって、前記コンピュータプログラムコードが請求項７に記載の方法を実行するための命令を備えるコンピュータプログラム製品。
【請求項１２】
請求項７に記載の動作のために構成された特定用途向け集積回路。
【請求項１３】
ユーザ機器無線通信装置のパージングコンポーネントであって、メッセージを解析して、前記メッセージ中に含まれるフラグが、前記ユーザ機器装置が無線アクセスネットワークにパケットを送信するための前記パケットを保持する前記ユーザ機器装置の１つまたは複数の送信バッファをフラッシュすべきであることを指示するように設定されているか否かを決定するように構成された、パージングコンポーネントと、
前記フラグが設定されている場合、前記１つまたは複数の送信バッファをフラッシュするように構成された、バッファリセットコンポーネントと、を備える装置。
【請求項１４】
前記送信バッファが、高速アップリンクパケットアクセスのために使用されるバッファである、請求項１３に記載の装置。
【請求項１５】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項１３に記載の装置。
【請求項１６】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項１５に記載の装置。
【請求項１７】
メッセージを解析して、前記メッセージ中に含まれるフラグが、ユーザ機器装置が無線アクセスネットワークにパケットを送信するための前記パケットを保持する前記ユーザ機器装置の１つまたは複数の送信バッファをフラッシュすべきであることを指示するように設定されているか否かを決定するための手段と、
前記フラグが設定されている場合、前記１つまたは複数の送信バッファをフラッシュするための手段と、を備える装置。
【請求項１８】
前記送信バッファが、高速アップリンクパケットアクセスのために使用されるバッファである、請求項１７に記載の装置。
【請求項１９】
請求項１７に記載の装置と、
無線通信を介して前記メッセージを受信し、前記メッセージをパージングコンポーネントに提供するための受信機と、
１つまたは複数のバッファを保持するための１つまたは複数のメモリ記憶装置と、
前記無線アクセスネットワークに前記メッセージに対する応答を無線送信するための送信機と、を備えるユーザ機器無線通信装置。
【請求項２０】
無線アクセスネットワークのプロトコルスタックの上位層から、ユーザ機器装置が無線アクセスネットワーク要素に供給するためのパケットを保持する１つまたは複数の送信バッファをフラッシュすべきであるという指示を受信し、それに応答して、前記ユーザ機器装置に送信するためのメッセージを準備し、前記ユーザ機器装置が前記１つまたは複数の送信バッファをフラッシュすべきであることを指示するように設定されたフラグを前記メッセージ中に含める、メッセージ準備コンポーネントと、
前記メッセージに応答して、前記ユーザ機器装置に供給するための前記メッセージを提供する、前記メディアアクセス制御層のメッセージ供給コンポーネントと、を備える装置。
【請求項２１】
前記送信バッファが、高速アップリンクパケットアクセスのために使用されるバッファである、請求項２０に記載の装置。
【請求項２２】
前記メッセージが再設定メッセージであって再設定を実行すべきであることを指示するものであり、前記フラグが、前記再設定の前に前記１つまたは複数の送信バッファをフラッシュすべきであることを伝達するように予め定められている、請求項２０に記載の装置。
【請求項２３】
前記メッセージがＥ−ＤＣＨ情報要素を含み、前記フラグが、ＭＡＣ−ｅｓ／ｅリセットが前記ユーザ機器装置によって実行されるべきであることを指示するために使用される、請求項２２に記載の装置。
【請求項２４】
請求項２０に記載の装置を備える無線アクセスネットワークの無線ネットワークコントローラであって、
前記無線ネットワークコントローラが、前記無線アクセスネットワークの無線通信端末に、前記ユーザ機器装置に供給するための前記メッセージを送信するように構成された無線ネットワークコントローラ。
【請求項２５】
請求項２０に記載の装置を備える無線アクセスネットワークの無線通信端末であって、
前記無線通信端末が前記メッセージを前記ユーザ機器装置に送信するように構成された無線通信端末。
【請求項２６】
ユーザ機器装置が無線アクセスネットワーク要素に供給するためのパケットを保持する１つまたは複数の送信バッファをフラッシュすべきであるという指示を受信し、それに応答して、前記ユーザ機器装置に送信するためのメッセージを準備し、前記ユーザ機器装置が前記１つまたは複数の送信バッファをフラッシュすべきであることを指示するように設定されたフラグを前記メッセージ中に含めるための手段と、
前記メッセージに応答して、前記ユーザ機器装置に供給するための前記メッセージを提供するための手段と、を備える装置。
【請求項２７】
前記送信バッファが、高速アップリンクパケットアクセスのために使用されるバッファである、請求項２６に記載の装置。
【国際調査報告】
2009514474.tif 000010
2009514474.tif 000011
2009514474.tif 000012
2009514474.tif 000013